(57)【要約】【課題】  天井板支持具内へ差し込まれる天井板の位置合わせを簡易かつ確実にし、天井板支持具内の換気通路を確保できる技術を提供することにある。【解決手段】  支持具本体４０は、壁面９０と接する背板部４１に取付孔４２，４２，…を備える。この取付孔４２を介してビス６１の埋込部６２を外壁９７及び下地９８へ埋め込むことによって壁面９０に取り付けられている。また、ビス６１と背板部４１の間には、パッキン６６，６６が介在されており、このためビス６１とパッキン６６，６６とで構成される取付部材６０が支持具本体４０内で突出した状態となる。この取付部材６０が、支持具本体４０に差し込まれた天井板９１の側面９３と当接することで、天井板９１の位置合わせがなされ、天井板支持具４０内の換気通路５０を確保できる。【選択図】  図２        
2005105612.tif 000002
【特許請求の範囲】
【請求項１】
壁面に取り付けられた支持具本体で換気可能に天井板を支持する天井板支持構造であって、
支持具本体は、壁面と接する背板部に取付孔を備え、
支持具本体を壁面に取り付けるために、その取付孔から壁面へ取付部材を挿通させるとともに、
その取付部材が支持具本体内に突出し、支持具本体に差し込まれた天井板の側面と当接することを特徴とする天井板支持構造。
【請求項２】
取付部材は、壁面に埋め込まれる埋込部を有する取付本体と、
取付本体と背板部の間に介在させる介挿体とを備えたことを特徴とする請求項１記載の天井板支持構造。
【請求項３】
取付部材は、壁面に埋め込み可能な埋込部と、
壁面に埋め込み不可能な突出部とを備えたことを特徴とする請求項１記載の天井板支持構造。
【発明の詳細な説明】
【技術分野】
【０００１】
本発明は、壁面に取り付けられた支持具本体で換気可能に天井板を支持する天井板支持構造に関するものである。
【背景技術】
【０００２】
従来よりある天井板の支持構造を図６に示す。
上面２と下面３にそれぞれスリット上の換気孔４，５の設けられた略Ｇ字形の天井板支持具１を、壁面（図示せず）に取り付ける。そして、この天井板支持具１に天井板８を差し込み、天井板８の一端部９を支持するものである。
【０００３】
このとき、上面２と下面３に設けられた換気孔４，５によって形成される換気通路６を確保する必要がある。このため、天井板８は、天井板支持具１内の奥まで差し込まず、図示するような換気通路６手前に位置合わせされている。この天井板８の位置合わせは、施工者が目視によって行っているのが現状である。
【０００４】
これに対して、特許文献１には、軒天ランナー１７（天井板支持具）内にスペーサー２９を嵌め込んで軒天面材差込溝１４を浅くし、隙間３２（換気通路）を確保する技術が開示されている（明細書段落番号０００７、図３他）。
【０００５】
【特許文献１】実開平５−３２５３１号公報
【発明の開示】
【発明が解決しようとする課題】
【０００６】
しかし、この特許文献１の構造では、次のような課題がある。
（１）一旦スペーサー２９を軒天ランナー１７（天井板支持具）内に嵌め込み、その後、    スペーサー２９の上から釘１２を打ち込んで外壁に取り付ける一連の作業は、狭いス    ペーサー２９内で現実的には困難であり、施工上の問題がある。
（２）スペーサー２９による固定強度の低下、すなわち、スペーサー２９の取り付けが作    業の煩雑さにより不完全となり、その場合に軒天ランナー１７（天井板支持具）の外    壁への留め付けがガタついたり、外れやすくなるなどの設備管理上の問題がある。
（３）また、スペーサー２９が大きいために、軒天ランナー１７（天井板支持具）の通気    性能を低下させたり、スペーサー２９部分にはスリット１８を形成できないために、    同様に軒天ランナー１７（天井板支持具）の通気性能を低下させるなどの性能上の問    題がある。
【０００７】
そこで本発明は、特許文献１とは異なる構造で、天井板支持具内へ差し込まれる天井板の位置合わせを簡易かつ確実にし、天井板支持具内の換気通路を確保できる技術を提供することを目的とする。
【課題を解決するための手段】
【０００８】
上記目的を達成するために、第一の発明は、壁面に取り付けられた支持具本体で換気可能に天井板を支持する天井板支持構造であって、支持具本体は、壁面と接する背板部に取付孔を備え、支持具本体を壁面に取り付けるために、その取付孔から壁面へ取付部材を挿通させるとともに、その取付部材が支持具本体内に突出し、支持具本体に差し込まれた天井板の側面と当接することを特徴とするものである。
支持具本体内の取付部材が、支持具本体に差し込まれた天井板の側面と当接することで、支持具本体内における天井板の位置を決定し、天井板の位置合わせがなされたことになる。
【０００９】
第二の発明は、取付部材が、壁面に埋め込まれる埋込部を有する取付本体と、取付本体と背板部の間に介在させる介挿体とを備えたことを特徴とするものである。
ここで「取付部材」とは、ビスや釘など取付孔を介して支持具本体を壁面に取り付けることができるものであれば何でもよい。また「介挿体」とは、パッキンやワッシャーなど取付本体と背板部の間に介在させることができるものであれば何でもよい。
第三の発明は、取付部材が、壁面に埋め込み可能な埋込部と、壁面に埋め込み不可能な突出部とを備えたことを特徴とするものである。
【発明の効果】
【００１０】
本発明によれば、以下の効果を奏する。
（１）差し込まれた天井板の側面と支持具本体内の取付部材とが当接することで、天井板    の位置合わせを簡易かつ確実に行うことができる。
（２）天井板の取り付けにばらつきが少なくなって換気通路を確保でき、安定した換気が    できるようになる。そして、建物自体の耐久性も向上する。
（３）目視によらず天井板の位置合わせを行えるので、施工時間を大幅に短縮できる。
【発明を実施するための最良の形態】
【００１１】
本発明の実施形態を図面に基づいて説明する。
図１〜図３は、第一の実施形態を示す。
図１に示すように、支持具本体４０は、壁面（図示せず）と接する背板部４１に、取付孔４２，４２，…を備える。また、背板部４１の上端からは壁面とは反対方向前方に延びながら先端４７をやや下方へ折曲させ、スリット状の換気孔４８，４８，…を有する上面部４６を備える。
【００１２】
さらに、背板部４１の下端からは、上面部４６と同様に壁面とは反対方向前方に延びながら、スリット状の換気孔５３，５３，…を有する下面部５１を備える。
この下面５１の先端５２は上方へ折曲し、さらに、支持具本体４０内へ折れ曲がり、下面部５１と平行な天井板支持部５６を備える。天井板支持部５６は、支持具本体４０へ差し込まれた天井板（図示せず）を下方から支持するものである。
【００１３】
そして、この支持具本体４０を壁面に取り付けるために、取付部材６０を用いる。取付部材６０は、壁面に埋め込まれる埋込部６２を有する取付本体として汎用品のビス６１と、ビス６１と背板部４１の間に介在させる介挿体として汎用品のパッキン（或いはワッシャー）６６，６６とを備える。
【００１４】
図２は、本発明の天井板支持構造で実際に天井板９１を支持している状態を示す一部切欠斜視図であり、図３は、同断面図である。
図２及び図３に示すように、支持具本体４０は、取付孔４２を介してビス６１の埋込部６２を外壁９７及び下地９８へ埋め込むことによって壁面９０に取り付けられている。また、ビス６１と背板部４１の間には、パッキン６６，６６が介在されており、このためビス６１とパッキン６６，６６とで構成される取付部材６０が支持具本体４０内で突出した状態となる。
【００１５】
そして、支持具本体４０に差し込まれた天井板９１は、その一端部９２が支持具本体４０の天井板支持部５６によって下方から支持されるとともに、その側面９３が取付孔４２から突出する取付部材６０と当接する。これによって、天井板９１の位置合わせが確実となり、支持具本体４０上面４６の換気孔４８，４８，…と下面５１の換気孔５３，５３，…とによって形成される換気通路５０を確保できる。
【００１６】
なお、図示省略するが、支持具本体４０内には、熱膨張する発泡材を取り付けておき、火災時に熱風によりその発泡材を膨張させ、換気通路５０を閉塞させる防火対策を施してもよい（次の第二の実施形態についても同様である）。
【００１７】
図４及び図５は第二の実施形態を示す。なお、第一の実施形態と同じものについては、同一の符号を付す。
第二の実施形態の支持具本体４０は、第一実施形態と同様であるので、その説明を省略する。
【００１８】
図４に示すように、第二の実施形態の取付部材７０は、壁面９０に埋め込み可能な埋込部７１と、壁面９０に埋め込み不可能な突出部７２とを備える。埋込部７１は、ビス等にみられるネジ山が設けられている。一方、突出部７２は、埋込部７１の倍以上の径をもち、壁面へ埋め込み不可能に突出している。つまり、第一の実施形態の取付部材６０は汎用品ではあるが、取付本体としてのビス６１と介挿体としてのパッキン６６という二物品が必要となっていた。これに対して、第二の実施形態の取付部材７０は、一物品のみである点が第一の実施形態の場合と異なる。
【００１９】
そして、第一の実施形態と同様、支持具本体４０に差し込まれた天井板９１は、その一端部９２が支持具本体４０の天井板支持部５６によって下方から支持されるとともに、その側面９３が取付孔４２から突出する取付部材７０と当接する。これによって、天井板９１の位置合わせが確実となり、支持具本体４０上面４６の換気孔４８，４８，…と下面５１の換気孔５３，５３，…とによって形成される換気通路５０を確保できる。
【００２０】
図５は、図４に示す取付部材７０のその他の例である。
図５（Ａ）に示す取付部材７３は、壁面９０に埋め込み可能な埋込部７４の後端部に拡径された鍔部７６を形成し、そこから後を壁面９０に埋め込み不可能な突出部７５としたものである。
また、図５（Ｂ）に示す取付部材７７は、壁面９０に埋め込み可能な埋込部７８の後端部から先にネジ山を形成せず、埋め込み不可能な突出部７９としたものである。
なお、図４に示す取付部材７０のその他の例は、これら図５に示すものに限られない。
【産業上の利用可能性】
【００２１】
本発明による天井板支持構造は、軒裏の天井板支持の他、様々な場所に施工される天井板を支持するための構造として広く利用できるものである。
【図面の簡単な説明】
【００２２】
【図１】第一の実施形態を示す説明図。
【図２】第一の実施形態を示す一部切欠斜視図。
【図３】第一の実施形態を示す断面図。
【図４】第二の実施形態を示す断面図。
【図５】取付部材のその他の例を示す説明図。
【図６】従来の技術を示す斜視図。
【符号の説明】
【００２３】
１    天井板支持具
２    上面
３    下面
４，５    換気孔
６    換気通路
８    天井板
９    一端部
４０    支持具本体
４１    背板部
４２    取付孔
４３    切抜片
４６    上面部
４７    先端
４８    換気孔
５０    換気通路
５１    下面部
５２    先端
５３    換気孔
５６    天井板支持部
６０    取付部材
６１    ビス
６２    埋込部
６６    パッキン（ワッシャー）
７０    取付部材
７１    埋込部
７２    突出部
７３    取付部材
７４    埋込部
７５    突出部
７６    鍔部
７７    取付部材
７８    埋込部
７９    突出部
９０    壁面
９１    天井板
９２    一端部
９３    側面
９７    外壁
９８    下地
【図１】
2005105612.tif 000003
【図２】
2005105612.tif 000004
【図３】
2005105612.tif 000005
【図４】
2005105612.tif 000006
【図５】
2005105612.tif 000007
【図６】
2005105612.tif 000008